(57)【要約】【課題】照明装置に衝撃が加わっても、発光素子の破損を防止できる遊技機を提供する。【解決手段】照明装置１００は、ベース部材１０１と、これに取り付けられたＬＥＤ基板１０２と、ＬＥＤ１０３からの光によって照らされる装飾部材１０４，１０５と、この装飾部材を保持するとともに、ベース部材１０１に取り付けられるリフレクタ１０６保持部材と備え、ベース部材１０１はＬＥＤ基板１０２の縁部に対向する対向部１０１ｄを有し、リフレクタ１０６は、ＬＥＤ基板１０２に近接する近接部１１５ｈと、ＬＥＤ基板１０２の縁部と対向部１０１ｄと間に介在される介在部１１５ｋとを有しているので、照明装置１００に衝撃が加わっても、介在部１１５ｋによってＬＥＤ基板１０２と近接部１１５ｈとが連動して移動して、ＬＥＤ１０３が近接部１１５ｈに干渉することがないのでＬＥＤ１０３の破損を防止できる。【選択図】図７
2019042270.tif 000002
【特許請求の範囲】
【請求項１】
照明装置を備えた遊技機において、
前記照明装置は、ベース部材と、このベース部材に取り付けられた発光素子基板と、この発光素子基板の発光素子からの光によって照らされる装飾部材と、この装飾部材を保持するとともに、前記ベース部材に取り付けられる保持部材と備え、
前記ベース部材は前記発光素子基板の縁部に対向する対向部を有し、
前記保持部材は、前記発光素子を挟んで前記対向部と反対側に位置するとともに前記発光素子基板に近接する近接部と、前記縁部と前記対向部と間に介在される介在部とを有していることを特徴とする遊技機。
【請求項２】
照明装置を備えた遊技機において、
前記照明装置は、ベース部材と、このベース部材に取り付けられた発光素子基板と、この発光素子基板の発光素子からの光によって照らされる装飾部材と、この装飾部材を保持するとともに、前記ベース部材に取り付けられる保持部材と備え、
前記ベース部材は前記発光素子基板の縁部に対向する対向部を有し、
前記保持部材は、前記発光素子を挟んで前記対向部と反対側に位置するとともに前記発光素子基板に近接する近接部を有し、
前記近接部と前記発光素子基板との間に、前記発光素子の高さ以上の隙間が設けられていることを特徴とする遊技機。
【請求項３】
前記保持部材は、一方の側に配置される前記装飾部材と他方の側に配置される前記装飾部材とを仕切る仕切板を有し、
前記仕切板の前記発光素子基板側の縁部が前記近接部であることを特徴とする請求項１または２に記載の遊技機。
【発明の詳細な説明】
【技術分野】
【０００１】
本発明は、照明装置を備えた遊技機に関する。
【背景技術】
【０００２】
従来、スロットマシンやパチンコ機などの遊技機において、遊技機の前面部に、遊技の演出等を行う照明装置が設けられている（例えば特許文献１参照）。  特許文献１に記載の遊技機では、遊技機の前面部の上部に照明装置が設けられている。この照明装置には３つの発光ユニットが組み込まれており、それぞれの発光ユニットは、装飾面と光透過部材を有する球体状のハウジングと、ハウジング内に収納されたＬＥＤ基板およびリフレクタと、ＬＥＤ基板の表面に実装されて光を装飾面に向けて出射する第１のＬＥＤと、基板の裏面に実装されて光をリフレクタの反射面に向けて出射する第２のＬＥＤと、ハウジングを第１位置と第２位置との間で回転するモータ等を備えており、第１位置で装飾面を正面側に向けた第１装飾演出と、第２位置で光透過部材を正面側に向けた第２装飾演出とを行うようにしている。
【先行技術文献】
【特許文献】
【０００３】
【特許文献１】特開２０１５−２０２１６４号公報
【発明の概要】
【発明が解決しようとする課題】
【０００４】
ところで、遊技機の前面部に照明装置を設けた場合、遊技者が遊技に熱中して興奮するあまり、照明装置に手や体が不意に接触したり、照明装置を叩いたりして、当該照明装置に衝撃が加わる場合がある。
一方、照明装置では、ＬＥＤ基板等の発光素子基板をベース部材に取り付けるとともに、レンズ部材等の装飾部材をリフレクタ等の保持部材に保持させ、この保持部材をベース部材に取り付けることによって、発光素子からの光によって装飾部材を照らすようにしている。リフレクタ等の保持部材は光漏れを抑制するために、発光素子基板に近接されている。
したがって、照明装置に衝撃が加わって、この衝撃がベース部材に作用すると、ベース部材の発光素子基板の縁部と対向する対向部が発光素子基板側に向けて撓んだり、変形する場合がある。この場合、前記対向部が発光素子基板の縁部に当たって、当該発光素子基板を押圧し、これによって、当該発光素子基板がその面内方向に移動することがある。
そうすると、保持部材は発光素子基板に近接されているので、発光素子基板に実装されている発光素子に保持部材が干渉し、この保持部材から発光素子に剪断力が作用して、当該発光素子が破損する虞がある。
【０００５】
本発明は、前記事情に鑑みてなされたもので、照明装置に衝撃が加わっても、発光素子の破損を防止できる遊技機を提供することを目的とする。
【課題を解決するための手段】
【０００６】
前記目的を達成するために、本発明の遊技機は、照明装置を備えた遊技機において、
前記照明装置は、ベース部材と、このベース部材に取り付けられた発光素子基板と、この発光素子基板の発光素子からの光によって照らされる装飾部材と、この装飾部材を保持するとともに、前記ベース部材に取り付けられる保持部材と備え、
前記ベース部材は前記発光素子基板の縁部に対向する対向部を有し、
前記保持部材は、前記発光素子を挟んで前記対向部と反対側に位置するとともに前記発光素子基板に近接する近接部と、前記縁部と前記対向部と間に介在される介在部とを有していることを特徴とする。
【０００７】
本発明においては、照明装置に衝撃が加わって、この衝撃がベース部材に作用して、ベース部材の発光素子基板の縁部と対向する対向部が発光素子基板側に向けて撓んだり、変形すると、当該発光素子基板の縁部と前記対向部との間に、保持部材の介在部が介在しているので、介在部が発光素子基板の縁部に当たり、当該発光素子基板がその面内方向（発光素子基板の表面と平行な方向）に移動するが、介在部によって保持部材とともにその近接部も前記面内方向に連動して移動する。つまり、発光素子基板と保持部材の近接部とが連動して移動する。
したがって、発光素子基板の発光素子が保持部材の近接部に干渉する（当たる）ことがないので、発光素子の破損を防止できる。
【０００８】
また、本発明の遊技機は、照明装置を備えた遊技機において、
前記照明装置は、ベース部材と、このベース部材に取り付けられた発光素子基板と、この発光素子基板の発光素子からの光によって照らされる装飾部材と、この装飾部材を保持するとともに、前記ベース部材に取り付けられる保持部材と備え、
前記ベース部材は前記発光素子基板の縁部に対向する対向部を有し、
前記保持部材は、前記発光素子を挟んで前記対向部と反対側に位置するとともに前記発光素子基板に近接する近接部を有し、
前記近接部と前記発光素子基板との間に、前記発光素子の高さ以上の隙間が設けられていることを特徴とする。
【０００９】
本発明においては、照明装置に衝撃が加わって、この衝撃がベース部材に作用して、ベース部材の発光素子基板の縁部と対向する対向部が発光素子基板側に向けて撓んだり、変形すると、当該対向部が発光素子基板の縁部に当たり、当該発光素子基板がその面内方向（発光素子基板の表面と平行な方向）に移動するが、保持部材の近接部と発光素子基板との間に、発光素子の高さ以上の隙間が設けられており、発光素子が近接部に干渉する（当たる）ことがないので、発光素子の破損を防止できる。
【００１０】
また、本発明の前記構成において、前記保持部材は、一方の側に配置される前記装飾部材と他方の側に配置される前記装飾部材とを仕切る仕切板を有し、
前記仕切板の前記発光素子基板側の縁部が前記近接部であってもよい。
【００１１】
このような構成によれば、一方の側に配置される装飾部材と他方の側に配置される装飾部材とが互いに干渉することなく発光素子によって照らされるのに仕切板が必要となるが、この仕切板の縁部は光漏れを抑制するために発光素子基板に近接している。このような場合にも、発光素子基板の発光素子が保持部材の近接部に干渉する（当たる）ことがないので、発光素子の破損を防止できる。
【発明の効果】
【００１２】
本発明によれば、照明装置に衝撃が加わっても、発光素子基板の発光素子が保持部材の近接部に干渉する（当たる）ことがないので、発光素子の破損を防止できる。
【図面の簡単な説明】
【００１３】
【図１】本発明の実施の形態に係る遊技機の一例を示すもので、その斜視図である。
【図２】同、照明装置の斜視図である。
【図３】同、照明装置の背面図である。
【図４】同、照明装置の分解斜視図である。
【図５】同、リフレクタを斜め前から見た斜視図である。
【図６】同、リフレクタを斜め後から見た斜視図である。
【図７】同、照明装置の側断面図である。
【図８】同、図７における要部の拡大図である。
【図９】同、照明装置を斜め後から見た分解斜視図である。
【図１０】同、上扉の背面側を示す斜視図である。
【図１１】同、上扉の取付ベースから基板保持部材とホルダを外した状態を示す斜視図である。
【図１２】同、取付ベースの上部を示す斜視図である。
【図１３】同、挿込み溝とその近傍を示す斜視図である。
【図１４】同、基板保持部材の斜視図である。
【図１５】同、基板保持部材の分解斜視図である。
【図１６】同、基板保持部材の側面図である。
【図１７】同、基板保持部材を取付ベースに取り付けた状態を示す要部の側断面図である。
【図１８】同、基板保持部材とホルダを示す斜視図である。
【図１９】同、基板保持部材にホルダを被せた状態を示す斜視図である。
【図２０】同、変形例の当接部（突起）を有する基板保持部材の側面図である。
【図２１】同、変形例の当接部（突起）を有する基板保持部材を取付ベースに取り付けた状態を示す要部の側断面図である。
【図２２】同、ベース部材に取り付けられた役物ユニットを示す斜視図である。
【図２３】同、役物ユニットの分解斜視図である。
【図２４】同、取付部を第１係合部とともに示す斜視図である。
【図２５】同、第１係合部の斜視図である。
【図２６】同、第１係合部とその近傍を示す斜視図である。
【図２７】同、ベース部材の要部の背面図である。
【図２８】同、開口部と開口部から延出しているＦＦＣを示す要部の平面図である。
【図２９】同、（ａ）は開口部と開口部から上方に延出しているＦＦＣを示す要部の背面側から見た斜視図、（ｂ）は開口部と開口部から横方向に延出しているＦＦＣを示す要部の背面側から見た斜視図である。
【図３０】同、基板ケースとその近傍を示す要部の斜視図である。
【図３１】同、ベース部材を斜め背面側から見た要部の斜視図である。
【図３２】同、原点位置にある可動部材を示す正面図である。
【図３３】同、中央位置にある可動部材を示す正面図である。
【図３４】同、左寄せ位置にある可動部材を示す正面図である。
【図３５】同、右寄せ位置にある可動部材を示す正面図である。
【発明を実施するための形態】
【００１４】
以下、本発明の実施の形態について図面を参照して説明する。
まず、遊技機の概略構成について説明する。なお、以下では遊技機の一つであるスロットマシンについて説明するが、本発明に係る遊技機は、スロットマシンに限ることなく、パチンコ遊技機等のその他の遊技機であってもよい。
また、以下の説明においては、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
【００１５】
まず、発明が適用されるスロットマシンＭの概略構成について説明する。
図１はスロットマシンＭを示す斜視図である。このスロットマシンＭは、筐体１を備えており、この筐体１は、底板、左右の側板、天板および背板を備え、当該筐体１の正面側に開口する正面開口部を有する箱形に形成されている。なお、底板の上面には、図示は省略するが、各部品に電力を供給するための電源装置を内蔵した電源ユニット、メダルを貯留するとともにメダルを払い出す払い出し装置としてのホッパーユニット等が設けられている。
【００１６】
また、筐体１の正面には、筐体１の正面開口部を開閉可能に閉塞する前扉３が設けられており、この前扉３は、前記正面開口部の開口上部を開閉可能に閉塞する上扉３０と、開口下部を開閉可能に閉塞する下扉４０とを備えている。
前記筐体１内には、図示は省略するが、交換ユニットが着脱可能に設けられている。交換ユニットは、種々の部品を設置あるいは固定するための支持体としての枠体と、この枠体に固定されたリールユニットおよび基板ユニットとから構成されている。ここで、リールユニットは、周囲に複数の図柄を表示した３個の回転リールと、回転リールを回転させるための駆動モータ（ステッピングモータ）を有している。また、基板ユニットは、ＣＰＵ、ＲＯＭ、ＲＡＭ、Ｉ／Ｏ等の電子部品を備えた基板を、基板ケースに収納したものである。そして、基板ユニットは、スロットマシンＭの遊技を制御するための遊技制御装置として機能する。
【００１７】
上扉３０の下部中央には、表示窓３１が設けられ、この表示窓３１の奥には、前記３個の回転リールが横一列に設けられている。各回転リールの外周面には複数種類の図柄が配列されており、回転リールが停止すると表示窓を通して１リール当たり３個の図柄が表示される。スロットマシンＭでは、横３本と斜め２本とからなる計５本の入賞有効ラインが設定されている。
そして、３個の回転リールが停止したときに入賞有効ライン上に停止した図柄の組み合わせによって当選役が入賞したか否かが表示される。
また、上扉３０の上部中央には、表示窓３１の上方に表示窓３２が設けられている。この表示窓３２は上扉３０に設けられた液晶表示パネルを有する画像表示装置（ディスプレイ）の表示面を見るために設けられたものであり、この画像表示装置では、その表示面に遊技機における演出用の画像が表示されるようになっている。なお、画像表示装置は、演出用の画像を表示できるものであれば、液晶ディスプレイ以外のディスプレイであってもよい。
また、上扉３０の表示窓３２の上部には、報知や演出などを行うための本発明に係る照明装置１００が設けられ、左右両側部には左右両側部には、報知や演出などを行うためのランプ３３ｂ,３３ｂが設けられている。
【００１８】
また、上扉３０は、筐体１内に設けられた前記交換ユニットにヒンジを介して回動可能に連結されることで、筐体１の開口上部を開閉するようになっている。また、下扉４０は筐体１にヒンジを介して回動可能に連結されることで、筐体１の開口下部を開閉するようになっている。
【００１９】
なお、このスロットマシンＭは、分離型筐体タイプの構造を有するものであり、遊技店における機種の交換時に、上扉３０が回動自在に取り付けられた交換ユニットを交換するようになっており、機種の交換時に筐体１、下扉４０および筐体１内の電源ユニットやホッパーユニット等は、遊技店の島設備に取り付けられたままで、交換されないようになっている。また、スロットマシンＭは、分離型筐体タイプに限られるものではなく、機種交換時にスロットマシン全体を交換するものであってもよい。この場合に、前扉３を上扉３０と下扉４０とに分けない一体の構造としてもよい。また、上扉３０と下扉４０とに分ける場合に、上扉３０を、筐体１の側板にヒンジを介して回動自在に取り付けてもよい。
また、上扉３０の下端部には、下扉４０の前面より後方側で下扉４０の上端より下側に突出する係合部が設けられ、下扉４０が閉じた状態で、上扉３０を開放することができない構造になっている。
【００２０】
また、下扉４０の上部には、スロットマシンＭを操作するための操作部５０が設けられている。操作部５０には、クレジットされたメダルを払い出すための精算スイッチ５２、ゲームを開始させるためのスタートレバー５３、回転リールの回転を停止させるためのストップスイッチ５４、メダルを投入するためのメダル投入口４２、メダル投入口４２の下方のメダル通路内で発生したメダル詰まりを解消するリジェクトボタン５５、最大数の３枚のメダルをゲームに投資するときに操作されるＭＡＸベットスイッチボタン５６等が設けられる他、遊技の演出等を選択するための操作盤５７や、表示ユニット５８が設けられている。操作盤５７は操作部５０の幅方向（左右方向）の略中央部に配置され、メダル投入口４２およびリジェクトボタン５５を挟んで、右側に表示ユニット５８が配置されている。なお、操作盤５７には、演出等の選択用の十字キー、決定ボタン、キャンセルボタン等を有している。
【００２１】
また、操作部５０の右側上方でかつ表示窓３１の右横には、演出ボタンユニット（電装品）９０が設けられている。この演出ボタンユニット９０は、遊技者によって演出ボタン９１が押下操作されるものであり、押下されることで例えば表示窓３２を通して見える液晶表示パネルを有する画像表示装置に表示される演出画像の態様を変化させ、遊技者に対して遊技への参加意識を高めるとともに、興趣を高めるようにしたものである。例えば、演出ボタン９１の操作に連動して画像表示装置に表示される演出画像を選択することができる。
【００２２】
また、下扉４０の下部には、スロットマシン内部よりメダルを排出するためのメダル払い出し口と、メダル払い出し口から排出されたメダルを溜めておくためのメダル受け皿４３とが形成されている。また、操作部５０とメダル受け皿４３との間には液晶表示パネル４５が取り付けられている。また、この液晶表示パネル４５の左右両側にはそれぞれ報知や演出などを行うためのランプ３３ｄが設けられている。
【００２３】
前記照明装置１００は、図２〜図４に示すように、ベース部材１０１と、このベース部材１０１に取り付けられたＬＥＤ基板（発光素子基板）１０２と、このＬＥＤ基板１０２のＬＥＤ（発光素子）１０３からの光によって照らされる上下の装飾部材１０４，１０５と、この装飾部材１０４，１０５を保持するとともに、ベース部材１０１に取り付けられるリフレクタ（保持部材）１０６と備えている。
【００２４】
ベース部材１０１は、左右に長尺な部材であり、その長手方向（幅方向）中央部に、リフレクタ１０６が装着される装着部１１０が設けられている。この装着部１１０は、ベース部材１０１の上壁部１０１ａの幅方向中央部の前半分と、ベース部材１０１の前面の幅方向中央部をそれぞれ略矩形状に切り欠くことによって形成されており、上壁部１０１ａより低い位置に水平な仕切板部１１０ａを有している。
仕切板部１１０ａと、ベース部材の下壁部１０１ｂとの間には、複数の支持部１１０ｂ〜１１０ｅが左右に所定間隔で設けられ、これら支持部１１０ｂ〜１１０ｅによって仕切板部１１０ａが支持されている。
また、装着部１１０の背面側を含んでベース部材１０１の背面側は大きく開口しており、装着部１１０の背面側の開口に、ベース部材１０１に取り付けられたＬＥＤ基板１０２が臨んでいる。また、装着部１１０の右側の支持部１１０ｂと装着部１１０の右縁部との間、左側の支持部１１０ｅと装着部１１０の左縁部との間、隣り合う支持部１１０ｂ，１１０ｃ間、隣り合う支持部１１０ｃ，１１０ｄ間および隣り合う支持部１１０ｄ，１１０ｅ間に正面視においてＬＥＤ基板１０２のＬＥＤ１０３が臨んでいる。
【００２５】
また、ベース部材１０１の左右両側の上部には、レンズ部材１１１，１１１が設けられており、このレンズ部材１１１，１１１は、その背面側においてベース部材１０１の内部に設けられた図示しないＬＥＤ基板のＬＥＤによって照らされるようになっている。
さらに、ベース部材１０１の左右両側の下部には、レンズ部材１１１，１１１の下方においてスピーカグリル１１２，１１２が設けられており、その背面側において、図３に示すように、ベース部材１０１の内部にスピーカ１１３，１１３が設けられている。
【００２６】
前記リフレクタ１０６は、図４〜図６に示すように、側面視において略コ字形に形成されており、底壁部１０６ａと、この底壁部１０６ａの前縁部の左右両端部に設けられた略Ｌ字形のフレーム１０６ｆ，１０６ｆと、底壁部１０６ａの前縁部に立設された複数の支持部１０６ｂ〜１０６ｅと、当該支持部１０６ｂ〜１０６ｅの上端部とフレーム１０６ｆ，１０６ｆの先端部に連結された保持部１１５を備えている。
底壁部１０６ａは板状に形成されており、リフレクタ１０６をベース部材１０１の装着部１１０に装着した際において、ベース部材１０１の下壁部１０１ｂの下面に重ね合されることで、当該下壁部１０１ｂに係合されるようになっている（図７参照）。
支持部１０６ｂ〜１０６ｅは、正面視において、ベース部材１０１の支持部１１０ｂ〜１１０ｅとほぼ重なるとともに、支持部１１０ｂ〜１１０ｅとの間に所定の隙間が設けられている。また、フレーム１０６ｆの縦フレームは、正面視において、装着部１１０の左右縁部と重なっている。
【００２７】
保持部１１５は、上保持部１１５Ａと下保持部１１７とを備えており、上保持部１１５Ａは、底壁部１１５ａと、この底壁部１１５ａを左右方向にほぼ３等分割するための２つの中間壁部１１５ｂと、底壁部１１５ａの左右両側部にそれぞれ設けられた側壁部１１５ｃ，１１５ｃと、背面側に設けられた棒状の背部１１５ｄとを備えている。そして、底壁部１１５ａ、中間壁部１１５ｂ、側壁部１１５ｃおよび背部１１５ｄによって３つの嵌込み部１１６・・・が左右に隣接して設けられている。
一方、図４に示すように、上側の装飾部材１０４は、３個のレンズ部材１０４ａ・・・によって構成されており、当該レンズ部材１０４ａ・・・がそれぞれ３つの嵌込み部１１６・・・に嵌め込まれている。
図５および図６に示すように、リフレクタ１０６の保持部１１５の底壁部１１５ａは、当該底壁部１１５ａを挟んで上下に位置する部位間の光漏れを防止するための仕切板１１５ａでもあり、この仕切板１１５ａの後端側の縁部は、図６〜図８に示すように、ＬＥＤ基板１０２に近接している近接部１１５ｈとなっている。
【００２８】
また、上保持部１１５Ａの下側には下保持部１１７が設けられている。この下保持部１１７は下側の装飾部材１０５を保持するものであり、当該装飾部材１０５の背面の上部および下部が当接される受面１１７ａ，１１７ｂと、装飾部材１０５の背面側に設けられた図示しない複数の円筒状のロッドが挿入される挿入孔１１７ｃを備えている。なお、挿入孔１１７ｃは、支持部１０６ｂ，１０６ｅ等に設けられているが、他の支持部１０６ｃ，１０６ｄやその他の部分に設けてもよい。
そして、装飾部材１０５はその背面の上部および下部を受面１１７ａ，１１７ｂに当接するとともに、図示しないロッドを挿入孔１１７ｃに挿入してねじ止めすることによって、下保持部１１７に保持されている。
このようにして、装飾部材１０４，１０５を保持しているリフレクタ１０６はベース部材１０１の装着部１１０ａに装着されたうえで、ベース部材１０１のねじ止め等によって取り付けられている。
【００２９】
図４に示すように、ＬＥＤ基板１０２には複数のＬＥＤ１０３が実装されている。これらＬＥＤ１０３のうち、ＬＥＤ基板１０２の上辺近傍において、左右に所定間隔で離間して配置されている複数（６個）のＬＥＤ１０３ａは、それぞれ単色ＬＥＤであり、上側の装飾部材１０４、つまり３個のレンズ部材１０４ａを背面側から照らすようになっている。３個のレンズ部材１０４ａは、それぞれ緑色、白、赤色に着色されており、それぞれＬＥＤ１０３ａからの光により緑色、白、赤色に点灯または点滅するようになっている。
なお、６個のＬＥＤ１０３ａは、左右に離間した一対のＬＥＤ１０３ａ，１０３ａが３組あり、各組の一対のＬＥＤ１０３ａ，１０３ａがそれぞれ各レンズ部材１０４を照らすようになっている。なお、ＬＥＤ１０３ａは、正面視においてリフレクタ１０６の底壁部１１５ａ、中間壁部１１５ｂ、側壁部１１５ｃおよび背部１１５ｄと重ならないようにして配置されている。
【００３０】
また、ＬＥＤ１０３ａより下側において上下左右に所定間隔で配置されている複数のＬＥＤ１０３ｂは、フルカラーのＬＥＤあり、下側の装飾部材１０５を背面側から照らすようになっている。この装飾部材１０５は外周部を構成する枠状の意匠部１０５ａと、この意匠部１０５ａの内側に設けられてレンズ部１０５ｂとを備えており、このレンズ部１０５ｂがＬＥＤ１０３ｂからの光により所望の色に点灯または点滅するようになっている。なお、ＬＥＤ１０３ｂは、正面視においてリフレクタ１０６のフレーム１０６ｆおよび支持部１０６ｂ〜１０６ｅおよび保持部１１５と重ならないようにして配置されている。
【００３１】
上下の装飾部材１０４，１０５にＬＥＤ１０３ａ，１０３ｂから照射される光は、リフレクタ１０６の仕切板１１５ａによって互いに干渉しないように仕切られている。また、上側の装飾部材１０４を構成する３個のレンズ部材１０４ａ・・・に、ＬＥＤ１０３ａから照射される光は、リフレクタ１０６の中間壁部１１５ｂによって互いに干渉しないように仕切られている。
【００３２】
ＬＥＤ基板１０２は、図４に示すように、ベース部材１０１の背面に取り付けられている。すなわち、図３および図９に示すように、ＬＥＤ基板１０２はベース部材１０１の幅方向中央部において、リフレクタ１０６（図４参照）に対向させて、ベース部材１０１の背面側にねじ１２０によってねじ止めされている。また、ベース部材１０１の背面側には、基板カバー１２１がＬＥＤ基板１０２の略下半分を覆うようにして取り付けられ、さらに、基板カバー１２１の下部を覆うようにして背面板１２２が取り付けられている。
【００３３】
ベース部材１０１に取り付けられたＬＥＤ基板１０２は、図７および図８に示すように、その上縁部１０２ａがベース部材１０１の上壁部１０１ａの幅方向（図７および図８においては紙面と直交する方向）略中央部に対向している。この対向している部分を対向部１０１ｄとすると、この対向部１０１ｄと、ＬＥＤ基板１０２の上縁部１０２ａとの間には隙間が設けられている。
また、リフレクタ１０６の保持部１１５の背部１１５ｄには、後方に突出する介在部１１５ｋが設けられている。介在部１１５ｋは、図６に示すように、リフレクタ１０６の保持部１１５の幅方向に延在しており、当該介在部１１５ｋの幅方向の長さはＬＥＤ基板１０２の上縁部１０２ａの長さよりやや短くなっているが、当該上縁部１０２ａの両端側を除いてほぼ上縁部１０２ａに上から当接可能となっている。また、仕切板１１５ａの後端部の近接部１１５ｈよりも後方に突出している。
このような介在部１１５ｋは、ＬＥＤ基板１０２の上縁部１０２ａとベース部材１０１の対向部１０１ｄとの間の隙間に介在し、その先端面はＬＥＤ基板１０２の裏面とほぼ面一となっている。
また、近接部１１５ｈはＬＥＤ１０３（１０３ａ）を挟んで対向部１０１ｄと反対側に位置しており、当該近接部１１５ｈの先端とＬＥＤ基板１０２との間には、ＬＥＤ１０３（１０３ａ）の高さ以上の隙間Ｓが設けられている。これによって、近接部１１５ｈの先端とＬＥＤ１０３（１０３ａ）の先端とは図８において光漏れしない範囲で左右に離間している。
【００３４】
したがって本実施の形態によれば、照明装置１００に衝撃が加わって、この衝撃がベース部材１０１に作用して、ベース部材１０１の対向部１０１ｄがＬＥＤ基板１０２に向けて撓んだり、変形すると、当該ＬＥＤ基板１０２の上縁部１０２ａとベース部材１０１の対向部１０１ｄとの間に、リフレクタ１０６の介在部１１５ｋが介在しているので、介在部１１５ｋがＬＥＤ基板１０２の上縁部１０２ａに当たり、当該ＬＥＤ基板１０２がその面内方向（ＬＥＤ基板１０２の表面と平行な方向）でかつ下方に移動するが、介在部１１５ｋによってリフレクタ１０６とともにその近接部１１５ｈも下方に連動して移動する。つまり、ＬＥＤ基板１０２とリフレクタ１０６の近接部１１５ｈとが連動して下方に移動する。
したがって、ＬＥＤ基板１０２のＬＥＤ１０３ａがリフレクタ１０６の近接部１１５ｈに干渉する（当たる）ことがないので、ＬＥＤ１０３ａの破損を防止できる。
【００３５】
また、リフレクタ１０６の近接部１１５ｈとＬＥＤ基板１０２との間に、ＬＥＤ１０３ａの高さ以上の隙間Ｓが設けられているので、仮にＬＥＤ基板１０２とリフレクタ１０６の近接部１１５ｈとが連動して移動せず、ＬＥＤ基板１０２のみが下方に移動した場合でも、ＬＥＤ１０３ａが近接部１１５ｈに干渉する（当たる）ことがない。したがって、この点においても、ＬＥＤ１０３ａの破損を防止できる。
【００３６】
なお、本実施の形態では、ＬＥＤ基板１０２の上縁部１０２ａと対向部１０１ｄとの間に、リフレクタ１０６の介在部１１５ｋが介在している構造およびリフレクタ１０６の近接部１１５ｈとＬＥＤ基板１０２との間に、ＬＥＤ１０３ａの高さ以上の隙間Ｓが設けられている構造の双方を備えているが、いずれか一方の構造を備えていれば、ＬＥＤ基板１０２のＬＥＤ１０３ａがリフレクタ１０６の近接部１１５ｈに干渉する（当たる）ことがないので、ＬＥＤ１０３ａの破損を防止できる。
【００３７】
また、本実施の形態では、装飾部材１０４，１０５を保持する保持部材として、これらに照射される光が互いに干渉しないように、リフレクタ１０６を使用したが、例えば、ＬＥＤによって照らされる装飾部材が１つであり、かつ、光漏れを考慮する必要性が低い場合、装飾部材を保持する保持部材はリフレクタ以外の部材であってもよい。
【００３８】
また、本実施の形態のスロットマシン（遊技機）Ｍは、図１０に示すように、取付ベース２００を備えている。この取付ベース２００は矩形枠状に形成されており、支持枠２０１に取り付けられている。支持枠２０１は矩形枠状に形成されており、その上枠材および左右の縦枠材の前縁部は取付ベース２００の内側に入り込んでいる。また、支持枠２０１の下枠材は取付ベース２００より下方に若干突出している。
このような支持枠２０１に取付ベース２００がボルト止め等によって取り付けられている。支持枠２０１の背面側から見て右側の縦枠材にヒンジ２０１ａ，２０１ａが上下に離間して取り付けられ、このヒンジ２０１ａ，２０１ａが筐体１（図１参照）の縦縁部に取り付けられている。支持枠２０１は上扉３０の骨組を構成するもので、当該支持枠２０１がヒンジ２０１ａ，２０１ａによって開閉することで、上扉３０が開閉するようになっている。
【００３９】
また、取付ベース２００の上下方向中央部より若干上方の部位に、液晶ユニット２０２が取り付けられ、この液晶ユニット２０２の背面にサブ基板ユニット２０３が取り付けられている。
【００４０】
また、図１１および図１２に示すように、取付ベース２００の上部には、液晶ユニット２０２より上方において、左右一対の凸部２０４，２０４が取付ベース２００の背面から突出するようにして形成されており、当該凸部２０４，２０４の左右方向において対向する面に挿込み溝２０５，２０５が左右に離間して設けられている。なお、図１２では液晶ユニット２０２およびサブ基板ユニット２０３の図示を省略している。
挿込み溝２０５，２０５および当該挿込み溝２０５，２０５が形成されている凸部２０４，２０４は取付ベース２００を金型によって樹脂射出成形する際に当該取付ベース２００と一体的に形成されたものであり、挿込み溝２０５，２０５には、後方側から前方側に向けて後述する基板保持部材２１０が挿し込まれるようになっている。したがって、左右一対の挿込み溝２０５，２０５の対向する内壁面２０５ａ，２０５ａ間の距離は、基板保持部材２１０の幅とほぼ等しいか、若干長くなっている。
【００４１】
また、挿込み溝２０５には、図１３に示すように、基板保持部材２１０を挿し込む方向と対向する面に開口２０５ｂが設けられ、挿し込む方向と直交する面に開口２０５ｃが設けられている。さらに、挿込み溝２０５は、開口２０５ｂに向かうほど離間する一対の内壁面２０５ｄ，２０５ｄを有している。この内壁面２０５ｄ，２０５ｄは、取付ベース２００を金型によって成形する際に抜き勾配を設けるために、抜き方向と傾斜する傾斜面となっている。したがって、一対の内壁面２０５ｄ，２０５ｄは開口２０４ｂ側に向けて拡がる形状となっている。
【００４２】
このような挿込み溝２０５，２０５には、基板保持部材２１０が開口２０５ｂから前方側に向けて挿し込まれるようになっている。
基板保持部材２１０は、図１４および図１５に示すように、内部に中継基板（電子基板）２１１が収納される基板ケース２１０であり、上ケース２１２と下ケース２１３とを備えている。
中継基板２１１は前記サブ基板ユニット２０３のサブ基板に図示しないハーネス等の接続ケーブルによって接続されるとともに、他の電子部品がハーネス等の接続ケーブルによって接続されるもので、サブ基板からの制御信号によって、中継基板２１１に接続されている電子部品を制御するようになっている。したがって、中継基板２１１の下面には電子部品からの接続ケーブルを接続するための複数のコネクタ２１１ａと、サブ基板からの接続ケーブルを接続するためのコネクタ２１１ｂが設けられている。
【００４３】
中継基板２１１は上ケース２１２と下ケース２１３に上下から挟まれた状態で収納されているが、下ケース２１３に矩形状の切欠部２１３ａ，２１３ｂが形成されているので、切欠部２１３ａによって３個のコネクタ２１１ａと１個のコネクタ２１１ｂが下ケース２１３の下面側に露出し、切欠部２１３ｂによって１個のコネクタ２１１ｂが下ケース２１３の下面側に露出している。
また、上ケース２１２と下ケース２１３とは、下ケース２１３に設けられた３つ孔から上ケース２１２に設けられた３つボス２１２ｂにねじ２１４をねじ込むことによって、中継基板２１１を挟持した状態で連結されている。
【００４４】
上ケース２１２の幅方向中央部には、矩形状の切欠部２１２ａが形成されており、この切欠部２１２ａによって中継基板２１１の一部が露出している。
また、上ケース２１２の左右両側端部には挿込み部２１５，２１５が設けられている。挿込み部２１５は基板保持部材２１０を挿込み溝２０５，２０５に挿し込む際に、当該挿込み溝２０５に挿し込まれるものであり、前後方向に延在する直方体状に形成されている。図１７に示すように、挿込み部２１５の前後方向の長さは、挿込み溝２０５の前後方向の長さより長くなっており、これによって挿込み部２１５は、挿込み溝２０５の奥側の面まで挿し込められ、挿し込んだ状態において、挿込み部２１５の後端部は挿込み溝２０５の開口２０５ｂから後方に突出している。
【００４５】
また、図１６および図１７に示すように、挿込み部２１５は、当該挿込み部２１５が挿込み溝２０５に挿し込まれた際に挿込み溝２０５一対の内壁面２０５ｄ，２０５ｄに当接する当接部２１５ａ，２１５ａを有している。当接部２１５ａ，２１５ａは、挿込み部２１５の上下面に形成された当接面２１５ａ，２１５ａである。当接面２１５ａ，２１５ａは前側に向かうほど互いに接近する傾斜面であり、当該傾斜面（当接面２１５ａ）は挿込み溝２０５の内壁面２０５ｄと等しい角度で水平面に対して傾斜している。したがって、挿込み部２１５が挿込み溝２０５に挿し込まれた状態では、挿込み部２１５の当接面２１５ａ，２１５ａが挿込み溝２０５の内壁面２０５ｄ，２０５ｄに密接するようにして当接されている。
【００４６】
このようにして挿込み溝２０５に挿し込まれた基板保持部材２１０は、図１０、図１１、図１７、図１８および図１９に示すように、ホルダ２２０によって保護されている。ホルダ２２０は、基板保持部材２１０の上面の略後側半分を覆う上壁部２２０ａと、基板保持部材２１０の背面を覆う背面壁部２２０ｂとを備えている。また、ホルダ２２０の左右両側部には、取付部２２０ｃ，２２０ｃが設けられており、取付部２２０ｃ，２２０ｃには孔２２０ｄ，２２０ｄが設けられている。
一方、取付ベース２００には、図１２に示すように、挿込み溝２０５，２０５の左右方向外側において、円筒状のボス２００ｄ，２００ｄが設けられ、当該ボス２００ｄ，２００ｄの内周面には雌ねじが形成されている。
【００４７】
そして、ホルダ２２０は、基板保持部材２１０の挿込み部２１５，２１５が取付ベース２００に設けられた挿込み溝２０５，２０５に挿し込まれた状態で、基板保持部材２１０にその上面と背面を覆うようにして被されたうえで、取付部２２０ｃ，２２０ｃが取付ベース２００のボス２００ｄ，２００ｄに嵌め込まれ、取付部２２０ｃ，２２０ｃにねじが挿通され、当該ねじがボス２００ｄ，２００ｄの雌ねじにねじ込まれることによって、取付ベース２００に取り付け固定されている。
【００４８】
本実施の形態によれば、取付ベース２００に設けられている挿込み溝２０５，２０５はその開口２０５ｂ，２０５ｂ側に向かうほど離間する一対の内壁面２０５ｄ，２０５ｄを有し、基板保持部材２１０の挿込み部２１５，２１５は、挿込み部２１５，２１５が挿込み溝２０５，２０５に挿し込まれた際に一対の内壁面２０５ｄ，２０５ｄに当接する当接面２１５ａ，２１５ａを有しているので、挿込み部２１５，２１５を挿込み溝２０５，２０５に挿し込むと、当接面２１５ａ，２１５ａが挿込み溝２０５，２０５の内壁面２０５ｄ，２０５ｄに当接する。したがって、基板保持部材２１０は当接面２１５ａ，２１５ａが当接した内壁面２０５ｄ，２０５ｄ側への倒れが防止される。よって、取付ベース２００に液晶ユニット２０２等の他の部品を取り付ける際に当該部品への基板保持部材２１０の接触を防止できる。
また、基板保持部材２１０は、ホルダ２２０により保護されるとともに、当該ホルダ２２０は基板保持部材２１０の上面および背面を覆った状態で取付ベース２００に取り付けられているので、当該ホルタ２２０によって基板保持部材２１０を保護できるとともに、基板保持部材２１０（の挿込み部２１５，２１５）が挿込み溝２０５，２０５から抜け出るのを防止できる。
【００４９】
なお、本実施の形態では、基板保持部材２１０の挿込み部２１５は、挿込み溝２０５の上下双方の内壁面２０５ｄ，２０５ｄに当接する当接面２１５ａ，２１５ａを有しているが、基板保持部材２１０が倒れることによって、接触する虞のある部品は基板保持部材２１０の下方にある液晶ユニット２０２であるので、少なくとも基板保持部材２１０が下方に倒れるのを防止すればよい。このため、挿込み部２１５は、挿込み溝２０５の下側の内壁面２０５ｄに当接する当接面２１５ａを有していればよい。つまり、本実施の形態では挿込み部２１５はその下面に当接面２１５ａを有していればよく、上面は上側の内壁面２０５ｄに当接させなくてもよい。
【００５０】
また、本実施の形態では、基板保持部材２１０の挿込み部２１５は、挿込み溝２０５の内壁面２０５ｄに当接する当接面２１５ａを有していたが、変形例として当接面２１５ａに代えて、図２０および図２１に示すように、挿込み溝２０５の一対の内壁面２０５ｄ，２０５ｄのうち少なくともいずれか一方の内壁面２０５ｄに当接する突起２１５ｂを有していてもよい。この突起２１５ｂは、挿込み溝２０５の内壁面２０５ｄのうち、開口２０５ｂに近い側の内壁面２０５ｄに当接するのが好ましい。このため、挿込み部２１５の後端部においてその上下面に突起２１５ｄ，２１５ｄが設けられている。
この場合においても、上述した当接面２１５ａと同様に、挿込み溝２０５の下側の内壁面２０５ｄに当接する突起２１５ｂを有していればよい。
当接面２１５ａに代えて突起２１５ｂを有していても、当接面２１５ａを有している場合と同様の効果を得ることができる。
【００５１】
また、本実施の形態では、基板保持部材２１０は、中継基板２１１が収納保持される基板ケース２１０であるが、この基板ケース２１０に代えて、中継基板２１１を支持する板状部材であってもよい。この板状部材には中継基板２１１が固定手段によって固定されて保持されるとともに、当該板状部材の両側部にそれぞれ、上述したような挿込み部２１５を設ければよい。
【００５２】
また、本実施の形態のスロットマシン（遊技機）では、図２２に示すように、モータ等の駆動源により駆動する可動部材（可動役物）３０１を移動可能に設け、表示ユニットによる演出画像の表示に加えて、可動役物の動作により演出の向上を図るようにしている。
前記上扉３０（図１参照）の内部には、上述したような取付ベース２００が取り付けられており、この取付ベース２００の略上半分に可動部材３０１，３０１と、この可動部材３０１，３０１を駆動させる駆動機構３０８等を備えた役物ユニット３０５が取り付けられている。なお、取付ベース２００の略下半分中央部には、回転リールを見るための表示窓３１が設けられている。
【００５３】
役物ユニット３０５は、図２３に示すように、ベース部材３０６と、左右一対の可動部材３０１，３０１と、左右一対のケーブル部材３０７，３０７と、可動部材３０１，３０１を左右に移動させる駆動機構３０８とを備えている。
駆動機構３０８は、左右一対のモータ３０８ａ，３０８ａとガイドロッド３０８ｂとを備えている。そして、モータ３０８ａ，３０８ａによって上下一対の無端状のベルト（図示略）が正逆方向に回転するようになっており、一方のベルトに一方の可動部材３０１が取り付けられ、他方のベルトに他方の可動部材３０１が取り付けられ、さらに、可動部材３０１，３０１の上端部がガイドロッド３０８ｂにその長手方向に摺動可能に取り付けられている。したがって、可動部材３０１，３０１はガイドロッド３０８ｂに沿って、モータ３０８ａ，３０８ａによって、左右方向に移動するようになっている。
【００５４】
ベース部材３０６は矩形枠状に形成されており、その上辺部には後述する第１係合部３１５を取り付けるための取付部３１０とケーブル部材３０７の所定部を収納する収納部３１１が設けられている。
取付部３１０は前記上辺部の長手方向中央部に左右一対設けられている。したがって、以下では右側の取付部３１０について説明し、左側の取付部３１０については、その説明を省略する。
取付部３１０は、図２４に示すように、ねじ孔が形成された筒状部３１０ａと、この筒状部３１０ａの両側に設けられている板状部３１０ｂ，３１０ｂとを備えている。また、取付部３１０の前縁部は、ベース部材３０６の上辺部の前縁部より奥側に凹むようにして形成されている。また、筒状部３１０ａは板状部３１０ｂより前側に突出している。
第１係合部３１５は、図２５に示すように、ケーブル部材３０７の一端部に係合して、当該ケーブル部材３０７の延出方向を所定方向に規制するものであり、第１部材３１６と、この第１部材３１６に係合する第２部材３１７とから構成されている。
【００５５】
第１部材３１６は断面略コ字形に形成され、第２部材３１７は断面略Ｌ字形に形成されている。そして、第２部材３１７の一片３１７ａを第１部材３１６に差し込むことで、第１部材３１６と第２部材３１７とが係合するとともに、第２部材３１７の他片３１７ｂを第１部材３１６の上片３１６ａの前縁部に突き当てたうえで、ねじ３１８を第２部材３１７から第１部材３１６にねじ込むことによって、第１部材３１６と第２部材３１７とが一体化されて第１係合部３１５となっている。
この状態において、ケーブル部材３０７の一端部は、第１部材３１６の上片３１６ａと第２部材３１７の一片３１７ａによって上下から平行に挟み付けられ、これによって、ケーブル部材３０７の一端部には第１係合部３１５が係合している。
このようにして、ケーブル部材３０７の一端部が第１係合部３１５に係合することによって、ケーブル部材３０７はその延出方向が所定方向に規制されている。つまり、ケーブル部材３０７の一端部から後述する円弧状に折り返された折返し部３０７ｄの前までの延出方向が可動部材３０１の移動方向に規制されている。
【００５６】
第１係合部３１５は、図２６に示すように、その第１部材３１６と第２部材３１７の一片３１７ａを収納部３１１に挿入するとともに、第１部材３１６の上片３１６ａを取付部３１０の板状部３１０ｂの下面に当接したうえで、第１部材３１６に形成された嵌合部３１６ｄから筒状部３１０ａのねじ孔にねじ３１９をねじ込むことによって、取付部３１０に取り付けられている。また、筒状部３１０ａの先端部は、嵌合部３１６ｄの裏面に形成された嵌合凹部に嵌合されている。
【００５７】
ケーブル部材３０７は、図２５に示すように、ケーブル本体３０７ａと、このケーブル本体３０７ａを保護する保護チューブ３０７ｂとから構成されている。ケーブル本体３０７ａは具体的にはＦＦＣ（フレキシブルフラットケーブル）３０７ａである。
保護チューブ３０７ｂは扁平筒状に形成されており、その内部にＦＦＣ３０７ａが挿入されている。
【００５８】
図２３に示すように、収納部３１１は断面コ字形に形成されており、ベース部材３０６の上辺部に沿って前側が開口した溝状に形成されている。この収納部３１１には、第１係合部３１５から可動部材３０１側に向けて延びるケーブル部材３０７の所定部が収納されている。
また、収納部３１１の前面側の開口部はカバー部材３１１ｂ，３１１ｂによって塞がれるようになっている。このカバー部材３１１ｂの上縁部には凹部３１１ｃが形成されており、この凹部３１１ｃに前記第１係合部３１５の他片３１７ｂが嵌合するようになっている。
ケーブル部材３０７は、第１係合部３１５から可動部材３０１側に向けて延出しており、途中で円弧状に折り返されたうえで、その他端部に第２係合部３２５が係合している。そして、第１係合部３１５から延出し、第２係合部３２５に係合されている部分の前までが上述したケーブル部材３０７の所定部であり、この所定部が収納部３１１に収納されている。なお、第２係合部３２５も収納部３１１に収納されている。
【００５９】
図２７に示すように、可動部材３０１はその上端部に、第２係合部３２５が取り付けられており、この第２係合部３２５が収納部３１１に左右方向に移動可能に収納されている。そして、この第２係合部３２５にケーブル部材３０７の他端部が係合されている。また、可動部材３０１はレンズ部材３０１ａと、このレンズ部材３０１ａを照らすＬＥＤを有するＬＥＤ基板とが設けられている。そして、ＬＥＤ基板のコネクタにケーブル部材３０７のＦＦＣ３０７ａの基端部が接続されている。
【００６０】
図２３に示すように、可動部材３０１，３０１は駆動機構３０８によって左右に移動するようになっている。
図３２は、可動部材３０１が矩形枠状のベース部材３０６の左右両側にある場合を示しており、この可動部材３０１の位置を原点位置とする。
なお、図３２では右側の可動部材３０１を示しているが、左側の可動部材３０１は右側の可動部材３０１と左右対称であるので、その説明を省略する。
【００６１】
可動部材３０１が原点に位置しているときは、収納部３１１内において、ケーブル部材３０７は第１係合部３１５から右方に延出し、収納部３１１の右端部で円弧状に折り返され、ケーブル部材３０７の他端部に係合している第２係合部３２５は可動部材３０１とともにベース部材３０６の右端部に位置している。
【００６２】
図３３に示すように、収納部３１１内において、右側の第２係合部３２５が駆動機構３０８によって、収納部３１１の右端部から中央側（図３３において左側）に移動すると、これに伴って可動部材３０１も原点位置からベース部材３０６の中央側（図３３において左側）に移動する。
ケーブル部材３０７の他端部が第２係合部３２５によって左側に引っ張られて、左側に延出して行くとともに、円弧状の折返し部３０７ｄが左側に移動して行く。
なお、左側の第２係合部３２５も収納部３１１内において、その左端部から中央側に移動し、この第２係合部３２５に係合しているケーブル部材３０７の他端部が右側に引っ張られて、右側に延出して行くとともに、円弧状の折返し部３０７ｄが右側に移動して行く。また、左側の第２係合部３２５の移動に伴って、左側の可動部材３０１も原点位置からベース部材１０６の中央側に移動して行き、右側の可動部材３０１とベース部材３０６の中央部で当接する。このように左右の可動部材３０１，３０１が互いに当接することで、ベース部材３０６の中央部において円状の孔が上下に３つ形成される。
【００６３】
図３４に示すように、収納部３１１内において、左右に隣接している第２係合部３２５，３２５が駆動機構３０８によって、収納部３１１の中央側から右側に移動すると、これに伴って左右に隣接している可動部材３０１，３０１も原点位置からベース部材３０６の右側に移動する。
右側の第２係合部３２５が右側に移動すると、この第２係合部３２５に係合しているケーブル部材３０７の他端部が右側に押されて、右側に移動して行くともに、円弧状の折返し部３０７ｄが右側に移動して行く
一方、左側の第２係合部３２５が右側に移動すると、この第２係合部３２５に係合しているケーブル部材３０７の他端部が第２係合部３２５によって右側に引っ張られて、右側に延出して行くとともに、円弧状の折返し部３０７ｄが右側に移動して行く。そして、左右の可動部材３０１，３０１がベース部材３０６の右側に位置することによって、ベース部材３０６の右端部において円状の孔が上下に３つ形成される。
【００６４】
また、右側の可動部材３０１が原点位置にある場合に、左側の第２係合部３２５が右側に移動すると、この第２係合部３２５に係合しているケーブル部材３０７の他端部が第２係合部３２５によって右側に引っ張られて、右側に延出して行くとともに、円弧状の折返し部３０７ｄが左側に移動して行く。そして、左側の可動部材３０１が右側の可動部材３０１に当接することで、ベース部材３０６の右端部において円状の孔が上下に３つ形成される。
【００６５】
図３５に示すように、収納部３１１内において、左右に隣接している第２係合部３２５，３２５が駆動機構３０８によって、収納部３１１の中央側から左側に移動すると、これに伴って左右に隣接している可動部材３０１，３０１も原点位置からベース部材３０６の左側に移動する。
左側の第２係合部３２５が左側に移動すると、この第２係合部３２５に係合しているケーブル部材３０７の他端部が左側に押されて、左側に移動して行くともに、円弧状の折返し部３０７ｄが左側に移動して行く
一方、右側の第２係合部３２５が左側に移動すると、この第２係合部３２５に係合しているケーブル部材３０７の他端部が第２係合部３２５によって左側に引っ張られて、左側に延出して行くとともに、円弧状の折返し部３０７ｄが左側に移動して行く。そして、左右の可動部材３０１，３０１がベース部材３０６の左側に位置することによって、ベース部材３０６の左端部において円状の孔が上下に３つ形成される。
【００６６】
また、左側の可動部材３０１が原点位置にある場合に、右側の第２係合部３２５が左側に移動すると、この第２係合部３２５に係合しているケーブル部材３０７の他端部が第２係合部３２５によって左側に引っ張られて、左側に延出して行くとともに、円弧状の折返し部３０７ｄが左側に移動して行く。そして、右側の可動部材３０１が左側の可動部材３０１に当接することで、ベース部材３０６の左端部において円状の孔が上下に３つ形成される。
【００６７】
図２６に示すように、ケーブル部材３０７の保護チューブ３０７ｂに挿入されているＦＦＣ３０７ａの一端部は保護チューブ３０７ｂの一端部から延出しており、この延出しているＦＦＣ３０７ａが第１係合部３１５の内部に挿通され、当該第１係合部３１５の内部で折り返されることで、向きを直角に変更されたうえで、収納部３１１の上壁部３１１ａに設けられた開口部３３０から延出している。つまり、第１係合部３１５に係合しているケーブル部材３０７のＦＦＣ３０７ａは第１係合部３１５内で折り返されたうえで、当該第１係合部３１５から延出し、さらに開口部３３０から延出している。
開口部３３０は収納部３１１の上壁部３１１ａ、すなわち、ベース部材３０６の上壁部の長手方向略中央部を平面視において略矩形状に切り欠くことによって形成されている凹部３３０ａと、第１部材３１６の上片３１６ａの長手方向略中央部を平面視において略矩形状に切り欠くことによって形成されている凹部３３０ｂとを平面視において向かい合わせることによって形成されている。また凹部３３０ａには凹部３３０ｂの近傍の上片３１６ａの一部３１６ｂ（図２８参照）が臨んでいる。
そして、この開口部３３０には、図２８に示すように、第１係合部３１５から延出しているＦＦＣ３０７ａが臨んでいる。
【００６８】
開口部３３０から延出するＦＦＣ３０７ａの延出部３０７ｆは折返し部３０７ｇを有している。すなわち、図２９（ａ）に示すように、開口部３３０から延出する延出部３０７ｆは上方に向かいその上端の折返し部３０７ｇで折り返されて下方に向けて延出するとともに、中継基板（電子基板）３５０の表面上を通り、延出部３０７ｆの先端部３０７ｈが中継基板３５０のコネクタ３５０ａに上方から差し込まれることで接続されている。中継基板３５０は、サブ基板２０３と図示しないハーネス等のケーブルによって接続されることで、サブ基板２０３（図１０参照）からの制御信号が入力され、この制御信号が中継基板３５０からＦＦＣ３０７ａを介して可動部材１０１に設けられているＬＥＤ基板等の基板に入力されるようになっている。
なお、ＦＦＣ３０７ａの延出部３０７ｆは、後述する基板カバー３６０によって中継基板３５０が覆われるため、図２９（ｂ）および図３０に示すように、基板カバー３６０によって上方から押えられることによって、後方に向けて略水平に折り曲げられる。この際、上壁部３１１ａの後縁部には後方に向けて突出する矩形板状の突出部３５１が設けられ、この突出部３５１の縁部は円弧面状に形成されているので、この円弧面状の縁部を起点として延出部３０７ｆが滑らかに折り曲げられる。
また、図２８に示すように、開口部３３０の幅（寸法）Ｌ１は、ＦＦＣ３０７ａの幅（寸法）Ｌ２より広くなっているとともに、ＦＦＣの幅（寸法）Ｌ２の２倍以下となっている。さらに、ＦＦＣ３０７ａの延出部３０７ｆの長さは、開口部３３０から中継基板３５０のコネクタ３５０ａまでの最短距離の２倍以上、３倍以下となっている。
ここで、延出部３０７ｆをこのように規定したのは、延出部３０７ｆの長さが前記最短距離の２倍未満であると、延出部３０７ｆの先端部３０７ｈをコネクタ３５０ａに真っ直ぐに差し込み難くなり、３倍を超えると延出部３０７ｆが長くなり過ぎて、折り曲げられた延出部３０７ｆを後述する突出壁部３６０ｂによって覆うことが困難になるからである。
なお、前記最短距離とは図２９（ｂ）に示すように、開口部３３０の縁から突出部３５１の先端部を通って、コネクタ３５０ａの差し込み口までの距離のことである。
【００６９】
図３１に示すように、中継基板３５０は、左右に長尺な略長方形状に形成されており、収納部３１１の背面、すなわちベース部材３０６の長手方向略中央部の背面にビス３５２，３５２によって固定されている。また、ベース部材３０６の背面にはボス３５３，３５３が左右に離間して設けられており、当該ボス３５３，３５３の外周面の一部に中継基板３５０の上縁部の角部に形成された略矩形の切欠部３５０ｋ，３５０ｋが係合することによって、中継基板３５０が上下左右の位置決めがなされている。
中継基板３５０の上縁部の幅方向略中央部には略矩形状の切欠部３５０ｄが形成されており、この切欠部３５０ｄの幅（左右幅）内の左右端部側に前記突出部３５１，３５１が配置されている。また、中継基板３５０の切欠部３５０ｄの両側に位置する上縁部はベース部材３０６の上壁部より若干上方に突出している。
【００７０】
中継基板３５０が位置決め固定されることによって、中継基板３５０に設けられているコネクタ３５０ａが所定の位置に配置されている。
すなわち、図２８に示すように、ベース部材３０６の平面視においてコネクタ３５０ａは開口部３３０の幅Ｌ１内に配置されるとともに、図３１に示すように、背面視において前記突出部３５１の直下に配置されている。なお、突出部３５１の左右の幅寸法は、コネクタ３５０ａの幅寸法をほぼ等しくなっている。そして、図２９に示すように、このコネクタ３５０ａにＦＦＣ３０７ａの延出部３０７ｆの先端部３０７ｈが上方から差し込まれることによって接続されている。
【００７１】
また、ベース部材１０６の上辺部（上壁部）には、図３０に示すように、基板カバー３６０が設けられており、この基板カバー３６０によって中継基板３５０およびＦＦＣ３０７ａの延出部３０７ｆが保護されている。
すなわち、基板カバー３６０は、図３１に示すように、中継基板３５０を覆う略矩形板状の縦壁部３６０ａと、この縦壁部３６０ａの上縁部の幅方向略中央部に縦壁部３６０ａと直角に、当該縦壁部３６０ａから突出するようにして設けられた２つの突出壁部３６０ｂ，３６０ｂとを備えており、当該突出壁部３６０ｂ，３６０ｂは左右に離間して設けられている。また、突出壁部３６０ｂの幅はＦＦＣ３０７ａの延出部３０７ｆの幅より広くなっている。さらに、縦壁部３６０ａの左右幅方向略中央部には中継基板３５０に設けられたコネクタ３５０ｃを露出させる開口部３６０ｃが設けられている。コネクタ３５０ｃには、サブ基板２０３（図１０参照）からのハーネス等の接続ケーブルが接続されるようになっている。
【００７２】
このような基板カバー３６０はその幅方向両端部に設けられた孔３６０ｄ，３６０ｄからねじを挿通して前記ボス３５３，３５３にねじ込むことによって、ベース部材３０６に取り付けられている。
基板カバー３６０がベース部材３０６に取り付けられた状態において、当該基板カバー３６０の縦壁部３６０ａによって中継基板３５０が覆われ、図３０に示すように、突出壁部３６０ｂによってＦＦＣ３０７ａの延出部３０６ｆが覆われている。突出壁部３６０ｂによって延出部３０６ｆを覆う際に、延出部３０６ｆは図２９（ａ）に示すように立った状態から、突出壁部３６０ｂによって上方から押えられて、図２９（ｂ）および図３０に示すように、水平に折り曲げられた状態となって、当該突出壁部３６０ｂによって覆われて保護される。
【００７３】
以上のように本実施の形態によれば、ＦＦＣ３０７ａを収納する収納部３１１の開口部３３０の幅がＦＦＣ３０７ａの幅より広くなっているので、開口部３３０から延出するＦＦＣ３０７ａが開口部３３０の所定の位置から左右方向（開口部３３０の幅方向）にずれても、このずれを許容してＦＦＣ３０７ａに負担を与えることがなく、さらに、ＦＦＣ３０７ａの延出部３０７ｆは折返し部３０７ｇを有するので、折返し部３０７ｇがＦＦＣ３０７ａの幅方向と交差する方向に傾くとともに、ＦＦＣ３０７ａが捩れることによって、先端部３０７ｈの左右方向への移動が可能となる。
したがって、開口部３３０から延出するＦＦＣ３０７ａが開口部３３０の所定の位置から左右にずれても、ＦＦＣ３０７ａの延出部３０７ｆの先端部３０７ｈを中継基板３５０のコネクタ３５０ａに位置合わせできるとともに、折返し部３０７ｇの存在によって延出部３０７ｆの長さが従来に比して長くなる。このため、ＦＦＣ３０７ａの先端部３０７ｈを中継基板３５０のコネクタ３５０ａに十分に届かせて、当該先端部３０７ｈをコネクタ３５０ａに接続不良とならないように真っすぐに差し込むことができる。
また、コネクタ３５０ａが開口部３３０の幅内に配置されているので、ＦＦＣ３０７ａの先端部３０７ｈをより確実に真っすぐにコネクタ３５０ａに差し込むことができる。
【００７４】
また、平面視において、開口部３３０の幅Ｌ１はＦＦＣ３０７ａの幅の２倍以下となっているので、収納部３１１に収納されているＦＦＣ３０７ａが収納部３１１内で移動した場合に、この移動によって開口部３３０から突出するＦＦＣ３０７ａの延出部３０７ｆが左右に大きく移動しようとしても、開口部３３０によってこの移動を規制できる。したがって、ＦＦＣ３０７ａの先端部３０７ｈのコネクタ３５０ａからの抜け出を防止できる。
【００７５】
さらに、基板カバー３６０は突出壁部３６０ｂを備えているので、開口部３３０から延出しているＦＦＣ３０７ａの延出部３０７ｆを突出壁部３６０ｂによって覆って保護することができる。また、この突出壁部３６０ｂによって延出部３０７ｆを折り曲げて押えるので、当該延出部３０７ｆを開口部３３０ａと突出壁部３６０ｂとの間に安定的に収めることができる。
【００７６】
なお、本実施の形態では、収納部３１１の一壁部である上壁部３１１ａに開口部３３０を設ける一方で、上壁部３１１ａと交差（略直角に配置）している収納部３１１の背面壁に中継基板３５０を設けたが、本発明はこれに限ることなく、開口部３３０と中継基板３５０等の電子基板とは平行な壁面に位置していてもよい。つまり、本発明は、開口部３３０から延出するＦＦＣ３０７ａの延出部３０７ｆの先端部３０７ｈを電子基板に設けられているコネクタに水平方向から差し込むような接続構造の場合にでも適用できる。
【符号の説明】
【００７７】
Ｍ  スロットマシン（遊技機）
１００  照明装置
１０１  ベース部材
１０１ｄ  対向部
１０２  ＬＥＤ基板（発光素子基板）
１０３  ＬＥＤ（発光素子）
１０４，１０５  装飾部材
１０６  リフレクタ（保持部材）
１１５ａ  仕切板
１１５ｈ  近接部
１１５ｋ  介在部
Ｓ  隙間
【図１】
2019042270.tif 000003
【図２】
2019042270.tif 000004
【図３】
2019042270.tif 000005
【図４】
2019042270.tif 000006
【図５】
2019042270.tif 000007
【図６】
2019042270.tif 000008
【図７】
2019042270.tif 000009
【図８】
2019042270.tif 000010
【図９】
2019042270.tif 000011
【図１０】
2019042270.tif 000012
【図１１】
2019042270.tif 000013
【図１２】
2019042270.tif 000014
【図１３】
2019042270.tif 000015
【図１４】
2019042270.tif 000016
【図１５】
2019042270.tif 000017
【図１６】
2019042270.tif 000018
【図１７】
2019042270.tif 000019
【図１８】
2019042270.tif 000020
【図１９】
2019042270.tif 000021
【図２０】
2019042270.tif 000022
【図２１】
2019042270.tif 000023
【図２２】
2019042270.tif 000024
【図２３】
2019042270.tif 000025
【図２４】
2019042270.tif 000026
【図２５】
2019042270.tif 000027
【図２６】
2019042270.tif 000028
【図２７】
2019042270.tif 000029
【図２８】
2019042270.tif 000030
【図２９】
2019042270.tif 000031
【図３０】
2019042270.tif 000032
【図３１】
2019042270.tif 000033
【図３２】
2019042270.tif 000034
【図３３】
2019042270.tif 000035
【図３４】
2019042270.tif 000036
【図３５】
2019042270.tif 000037